(57)【要約】【課題】  携帯装置のためのオーディオ・システムを提供する。【解決手段】  オーディオ・システムは、トランスデューサを有する筐体を含む。トランスデューサは、周波数範囲を有するオーディオ信号によって駆動されることに応答して、筐体内に振動を創成する。クレードル組立体は、アイソレータを介して筐体に携帯装置を機械的に結合する。振動の部分は、クレードル組立体に結合される。アイソレータは、携帯装置がクレードル組立体に結合されるとき、周波数範囲の部分内で携帯装置の動作が遮断されないように、該結合された振動の振幅を減少する。【選択図】      図２
2006074787.tif 000002
【特許請求の範囲】
【請求項１】
ａ）筐体と、
ｂ）該筐体に装着されたトランスデューサであって、周波数範囲を有するオーディオ信号によって駆動されることに応答して筐体内に振動を創成する前記トランスデューサと、
ｃ）振動の部分がクレードル組立体に結合されるように、携帯装置をアイソレータを介して筐体に機械的に結合するクレードル組立体と、
を備え、アイソレータは、携帯装置がクレードル組立体に結合されたときに、周波数範囲の部分内での携帯装置の動作が遮断されないように、結合された振動の振幅を減少するようにしたオーディオ・システム。
【請求項２】
該動作は、オーディオの再生、メモリからのデータへのアクセス、ディスク・ドライブからのデータへのアクセス、データのメモリへの記録、データのディスク・ドライブへの記録、及びバッテリの再充電の少なくとも１つを含む請求項１に記載のオーディオ・システム。
【請求項３】
筐体は、さらに、音響ポート、音響導波管、パッシブラジエータ、音響絶縁体、及び音響減衰装置の少なくとも１つを含む請求項１に記載のオーディオ・システム。
【請求項４】
筐体は、さらに、少なくとも１つのフィートを含む請求項１に記載のオーディオ・システム。
【請求項５】
携帯装置の機能を制御する信号を受信するリモート・コントロール受信器をさらに含む請求項１に記載のオーディオ・システム。
【請求項６】
該信号を発生するリモート・コントロール送信器をさらに含む請求項５に記載のオーディオ・システム。
【請求項７】
リモート・コントロール送信器は、ワイヤレス通信リンクを介してリモート・コントロール受信器と通信する請求項６に記載のオーディオ・システム。
【請求項８】
リモート・コントロール送信器は、携帯装置上の制御ボタンにマッピングされた制御ボタンをさらに含む請求項６に記載のオーディオ・システム。
【請求項９】
アイソレータは、エラストマ部材、ばね、発泡部材、コルク部材、ダッシュポット、緩衝装置、油圧システム、クッション、グロメット、及びブッシングを含むグループから選択される請求項１に記載のオーディオ・システム。
【請求項１０】
クレードル組立体は、携帯装置をトランスデューサに電気的に結合するコネクタをさらに備える請求項１に記載のオーディオ・システム。
【請求項１１】
クレードル組立体は、携帯装置のシャーシを受け入れるように形作られたインサートをさらに含む請求項１に記載のオーディオ・システム。
【請求項１２】
クレードル組立体は、携帯装置のシャーシをクレードル組立体から隔離するエラストマ部材をさらに備える請求項１に記載のオーディオ・システム。
【請求項１３】
クレードル組立体は、少なくとも１つのフィートをさらに備える請求項１に記載のオーディオ・システム。
【請求項１４】
オーディオ信号の周波数範囲の部分は、約１０Ｈｚと８００Ｈｚとの間にある請求項１に記載のオーディオ・システム。
【請求項１５】
オーディオ信号の周波数範囲の部分は、約１２００Ｈｚと２０ｋＨｚとの間にある請求項１に記載のオーディオ・システム。
【請求項１６】
携帯装置は、ＭＰ３装置、ミニディスク装置、コンパクト・ディスク（ＣＤ）装置、個人情報機器（ＰＤＡ）、パームトップ・コンピュータ、携帯電話、ディジタル・カメラ、もしくは携帯用小型無線呼出し機（ポケットベル）を含むグループから選択される請求項１に記載のオーディオ・システム。
【請求項１７】
携帯装置は、ディスク・ドライブを備える請求項１に記載のオーディオ・システム。
【請求項１８】
携帯装置は、携帯オーディオ・プレーヤを備える請求項１に記載のオーディオ・システム。
【請求項１９】
オーディオ信号を処理するプロセッサをさらに備える請求項１に記載のオーディオ・システム。
【請求項２０】
プロセッサは、オーディオ信号における１つまたはそれ以上の所定の周波数の利得を変更する利得セルを含む請求項１９に記載のオーディオ・システム。
【請求項２１】
プロセッサは、オーディオ信号における１つまたはそれ以上の所定の周波数の利得を変更するノッチ・フィルタを含む請求項１９に記載のオーディオ・システム。
【請求項２２】
プロセッサは、携帯装置の動作を遮断し得る筐体における振動に対応するオーディオ信号の１つまたはそれ以上の所定周波数に同調されるノッチ・フィルタを備える請求項１９に記載のオーディオ・システム。
【請求項２３】
携帯装置からの信号を変更し、該変更された信号をプロセッサに送信するインターフェース・モジュールをさらに備える請求項１９に記載のオーディオ・システム。
【請求項２４】
プロセッサは、携帯装置がオーディオ・システムに結合されるときに、オーディオ信号の利得を所定の増分で増加させる請求項１９に記載のオーディオ・システム。
【請求項２５】
プロセッサは、携帯装置の均等化パラメータを所定の設定値に予め設定する請求項１９に記載のオーディオ・システム。
【請求項２６】
オーディオ・システムからのオーディオを伝送するための方法であって、
ａ）アイソレータを介してオーディオ・システムの筐体に機械的に結合される携帯装置で周波数範囲を有するオーディオ信号を生成する段階と、
ｂ）該オーディオ信号を、筐体に装着されるトランスデューサに伝送する段階であって、該トランスデューサは、オーディオ信号によって駆動されることに応答して筐体内に振動を創成し、振動の部分は携帯装置に結合されるものである前記段階と、を含み、アイソレータは、携帯装置がクレードル組立体に結合されるとき、周波数範囲の部分内の携帯装置の動作が遮断されないように、該結合された振動の振幅を減少させるようにした方法。
【請求項２７】
該動作は、オーディオの再生、メモリからのデータへのアクセス、ディスク・ドライブからのデータへのアクセス、データのメモリへの記録、データのディスク・ドライブへの記録、及びバッテリの再充電の少なくとも１つを含む請求項２６に記載の方法。
【請求項２８】
携帯装置によって生成されたオーディオ信号を変更し、該変更されたオーディオ信号をトランスデューサに伝送する段階をさらに含む請求項２６に記載の方法。
【請求項２９】
オーディオ信号における１つまたはそれ以上の所定の周波数の利得を変更する段階をさらに含む請求項２６に記載の方法。
【請求項３０】
アイソレータは、エラストマ部材、ばね、発泡部材、コルク部材、ダッシュポット、緩衝装置、油圧システム、クッション、グロメット、及びブッシングを含むグループから選択される請求項２６に記載の方法。
【請求項３１】
携帯装置は、ディスク・ドライブを備える請求項２６に記載の方法。
【請求項３２】
アイソレータは、ディスク・ドライブの動作が、筐体における振動によって遮断されるのを実質的に阻止する請求項３１に記載の方法。
【請求項３３】
携帯装置は、ＭＰ３装置、ミニディスク装置、コンパクト・ディスク（ＣＤ）装置、個人情報機器（ＰＤＡ）、パームトップ・コンピュータ、携帯電話、ディジタル・カメラ、もしくは携帯用小型無線呼出し機（ポケットベル）を含むグループから選択される請求項２６に記載の方法。
【請求項３４】
リモート・コントロール送信器で携帯装置の作用を制御する段階をさらに含む請求項２６に記載の方法。
【請求項３５】
携帯装置のためのオーディオ・システムを製造する方法であって、
ａ）周波数範囲を有するオーディオ信号によって駆動されることに応答してオーディオ・システムにおける筐体内に振動を創成するトランスデューサを、該筐体に装着する段階と、
ｂ）振動の部分がクレードル組立体に結合されるように、該クレードル組立体をアイソレータを介して筐体に装着する段階と、を含み、アイソレータは、携帯装置がクレードル組立体に結合されるとき、周波数範囲の部分内の携帯装置の動作が遮断されないように、該結合された振動の振幅を減少させるようにした方法。
【請求項３６】
該動作は、オーディオの再生、メモリからのデータへのアクセス、ディスク・ドライブからのデータへのアクセス、データのメモリへの記録、データのディスク・ドライブへの記録、及びバッテリの再充電の少なくとも１つを含む請求項３５に記載の方法。
【請求項３７】
音響ポート、音響導波管、パッシブラジエータ、音響絶縁体、及び音響減衰装置の少なくとも１つを筐体に追加する段階をさらに含む請求項３５に記載の方法。
【請求項３８】
携帯装置の作用を制御する信号を受信する受信器を筐体に装着する段階をさらに含む請求項３５に記載の方法。
【請求項３９】
アイソレータは、エラストマ部材、ばね、発泡部材、コルク部材、ダッシュポット、緩衝装置、油圧システム、クッション、グロメット、及びブッシングを含むグループから選択される請求項３５に記載の方法。
【請求項４０】
携帯装置を支持するようクレードル組立体内にインサートを形成する段階をさらに含む請求項３５に記載の方法。
【請求項４１】
携帯装置は、ディスク・ドライブを備える請求項３５に記載の方法。
【請求項４２】
携帯装置は、携帯オーディオ・プレーヤを備える請求項３５に記載の方法。
【請求項４３】
携帯装置は、ＭＰ３装置、ミニディスク装置、コンパクト・ディスク（ＣＤ）装置、個人情報機器（ＰＤＡ）、パームトップ・コンピュータ、携帯電話、ディジタル・カメラ、もしくは携帯用小型無線呼出し機（ポケットベル）を含むグループから選択される請求項３５に記載の方法。
【請求項４４】
携帯装置からのオーディオ信号を処理する段階をさらに含む請求項３５に記載の方法。
【請求項４５】
オーディオ・システムにおける携帯装置への振動の影響を最小にするための方法であって、
ａ）オーディオ・システムにおける筐体にトランスデューサを装着する段階と、
ｂ）トランスデューサから音響エネルギを生成するために、トランスデューサに周波数範囲を有するオーディオ信号を伝送する段階であって、音響エネルギの部分が筐体内に振動を創成するものである前記段階と、
ｃ）振動の部分がクレードル組立体に結合されるように、アイソレータを介して筐体にクレードル組立体を装着する段階と、を含み、アイソレータは、携帯装置がクレードル組立体に結合されるとき、周波数範囲の部分内での携帯装置の動作が遮断されないように、該結合された振動の振幅を減少させるようにした方法。
【請求項４６】
該動作は、オーディオの再生、メモリからのデータへのアクセス、ディスク・ドライブからのデータへのアクセス、データのメモリへの記録、データのディスク・ドライブへの記録、及びバッテリの再充電の少なくとも１つを含む請求項４５に記載の方法。
【請求項４７】
筐体は、音響ポート、音響導波管、パッシブラジエータ、音響絶縁体、及び音響減衰装置の少なくとも１つをさらに含む請求項４５に記載の方法。
【請求項４８】
携帯装置の作用を制御する信号を受信する受信器を筐体に装着する段階をさらに含む請求項４５に記載の方法。
【請求項４９】
アイソレータは、エラストマ部材、ばね、発泡部材、コルク部材、ダッシュポット、緩衝装置、油圧システム、クッション、グロメット、及びブッシングを含むグループから選択される請求項４５に記載の方法。
【請求項５０】
携帯装置を支持するようクレードル組立体内にインサートを形成する段階をさらに含む請求項４５に記載の方法。
【請求項５１】
携帯装置は、携帯オーディオ・プレーヤを備える請求項４５に記載の方法。
【請求項５２】
携帯装置は、ＭＰ３装置、ミニディスク装置、コンパクト・ディスク（ＣＤ）装置、個人情報機器（ＰＤＡ）、パームトップ・コンピュータ、携帯電話、ディジタル・カメラ、及び携帯用小型無線呼出し機（ポケットベル）を含むグループから選択される請求項４５に記載の方法。
【請求項５３】
トランスデューサに、オーディオ信号を増幅する増幅器を結合する段階をさらに含む請求項４５に記載の方法。
【請求項５４】
オーディオ信号を処理する段階をさらに含む請求項４５に記載の方法。
【請求項５５】
オーディオ・システムからのオーディオを伝送するための装置であって、
ａ）アイソレータを介してオーディオ・システムの筐体に機械的に結合される携帯装置で周波数範囲を有するオーディオ信号を生成するための手段と、
ｂ）該オーディオ信号を、筐体に装着されるトランスデューサに伝送するための手段と、を備え、該トランスデューサは、オーディオ信号によって駆動されることに応答して筐体内に振動を創成し、振動の部分は携帯装置に結合され、アイソレータは、携帯装置がクレードル組立体に結合されるとき、周波数範囲の部分内の携帯装置の動作が遮断されないように、該結合された振動の振幅を減少させるようにした装置。
【発明の詳細な説明】
【技術分野】
【０００１】
本発明は、携帯装置のためのオーディオ・システムに関する。
【背景技術】
【０００２】
高品質のオーディオを聞くための携帯電子装置は、過去何年にも渡って一層小型かつ軽量になってきている。イヤフォーンは一般にオーディオを聞くために用いられるが、幾つかの携帯電子装置は、小型の内部スピーカを含み得る。多くの携帯電子装置は、また、携帯電子装置を可撓性ケーブルを介してステレオ・システムまたは外部のスピーカに接続するための出力ポートを含んでいる。
【発明の開示】
【課題を解決するための手段】
【０００３】
一態様において、本発明は、筐体を含むオーディオ・システムに関する。トランスデューサもしくは変換器は、筐体に装着され、或る周波数範囲を有するオーディオ信号によって駆動されることに応答して筐体内に振動を創成する。オーディオ・システムは、また、携帯装置をアイソレータもしくは隔離装置を介して筐体に機械的に結合するクレードル組立体をも含む。振動の部分は、クレードル組立体内に結合される。アイソレータもしくは隔離装置は、結合された振動の振幅を減少し、それ故、周波数範囲の部分内の携帯装置の動作は、携帯装置がクレードル組立体に結合されるとき、遮断されない。
【０００４】
携帯装置の動作は、オーディオの再生、メモリからのデータへのアクセス、ディスク・ドライブからのデータへのアクセス、メモリへのデータの記録、ディスク・ドライブへのデータの記録、バッテリの再充電、もしくは携帯装置の任意の他の機能を含む。携帯装置は、ＭＰ３装置、ミニディスク装置、コンパクト・ディスク（ＣＤ）装置、個人情報機器（ＰＤＡ）、パームトップ・コンピュータ、携帯電話、ディジタル・カメラ、もしくは携帯用小型無線呼出し機（ポケットベル）を例えば含み得る。他の型の携帯装置も用いられ得る。携帯装置は、ディスク・ドライブを含み得る。携帯装置は、携帯オーディオ・プレーヤを含み得る。
【０００５】
筐体は、音響ポート、音響導波管、パッシブラジエータ、音響絶縁体、及び／または音響減衰装置を含み得る。筐体は、また、１つまたはそれ以上のフィートもしくは脚をも含み得る。
【０００６】
オーディオ・システムは、また、リモート・コントロール受信器と、ワイヤレス通信リンクを介してリモート・コントロール受信器と通信するリモート・コントロール送信器とを含み得る。リモート・コントロール送信器は、携帯装置上のコントロール・ボタンにマッピングされているコントロール・ボタンを含み得る。
【０００７】
アイソレータは、エラストマ部材、ばね、発泡部材、コルク部材、ダッシュポット、緩衝装置、油圧装置、クッション、グロメット、ブッシング、もしくは振動を隔離し及び／または減衰する他の任意の装置であって良い。
【０００８】
クレードル組立体は、携帯装置をトランスデューサもしくは変換器に接続するコネクタを含み得る。該接続は、増幅器を介して行われ得る。クレードル組立体は、また、携帯装置のシャーシを受け入れるように形成されたインサートもしくは挿入物をも含み得る。クレードル組立体は、また、携帯装置のシャーシをクレードル組立体から隔離するエラストマ部材をも含み得る。クレードル組立体は、また、１つまたはそれ以上のフィートもしくは脚をも含み得る。
【０００９】
オーディオ信号の周波数範囲の部分は、約１０Ｈｚと８００Ｈｚとの間、もしくは、約１２００Ｈｚと２０ｋＨｚとの間にあって良い。
【００１０】
オーディオ・システムは、また、プロセッサを含み得る。プロセッサは、オーディオ信号における所定の周波数の利得を変更する利得セル(gain cell)及び／またはノッチ・フィルタを含み得る。ノッチ・フィルタは、携帯装置の動作を遮断し得る筐体における振動に対応するオーディオ信号の１つまたはそれ以上の所定周波数に同調され得る。プロセッサは、携帯装置からの信号を変更し、該変更された信号をプロセッサに送信するインターフェース・モジュールに結合され得る。プロセッサは、また、携帯装置がオーディオ・システムに結合されるときに、オーディオ信号の利得を所定の増分で増加させることもできる。プロセッサは、携帯装置の均等化パラメータを所定の設定値に予め設定することができる。
【００１１】
もう１つの態様において、本発明は、オーディオ・システムからのオーディオを伝送するための方法に関する。該方法は、携帯装置で周波数範囲を有するオーディオ信号を生成する段階を含む。携帯装置は、アイソレータを介してオーディオ・システムの筐体に機械的に結合される。該方法は、さらに、オーディオ信号を、筐体に装着されるトランスデューサに伝送する段階を含む。該トランスデューサは、オーディオ信号によって駆動されることに応答して筐体内に振動を創成する。振動の部分は携帯装置に結合される。アイソレータは、携帯装置がクレードル組立体に結合されるとき、周波数範囲の部分内での携帯装置の動作が遮断されないように、該結合された振動の振幅を減少させる。
【００１２】
携帯装置は、ディスク・ドライブを含むことができ、アイソレータは、ディスク・ドライブの動作が、筐体における振動によって遮断されるのを実質的に阻止することができる。
【００１３】
当該方法は、また、携帯装置によって生成されたオーディオ信号を変更し、該変更されたオーディオ信号をトランスデューサに伝送する段階をも含むことができる。当該方法は、また、オーディオ信号における１つまたはそれ以上の所定の周波数の利得を変更する段階をも含むことができる。当該方法は、また、リモート・コントロール送信器で携帯装置の作用を制御する段階をも含むことができる。
【００１４】
もう１つの態様において、本発明は、携帯装置のためのオーディオ・システムを製造する方法に関する。該方法は、オーディオ・システムにおける筐体にトランスデューサを装着する段階を含む。トランスデューサは、周波数範囲を有するオーディオ信号によって駆動されることに応答して筐体内に振動を創成する。該方法は、また、振動の部分がクレードル組立体に結合されるように、該クレードル組立体をアイソレータを介して筐体に装着する段階をも含む。アイソレータは、携帯装置がクレードル組立体に結合されるとき、周波数範囲の部分内の携帯装置の動作が遮断されないように、該結合された振動の振幅を減少する。
【００１５】
当該方法は、また、音響ポート、音響導波管、パッシブラジエータ、音響絶縁体、及び／または音響減衰装置を筐体に追加する段階をも含むことができる。当該方法は、また、受信器を筐体に装着する段階をも含むことができる。受信器は、携帯装置の作用を制御することができる。当該方法は、また、携帯装置を支持するようクレードル組立体内にインサートもしくは挿入物を形成する段階をも含むことができる。当該方法は、また、携帯装置からのオーディオ信号を処理する段階をも含むことができる。
【００１６】
もう１つの態様において、本発明は、オーディオ・システムにおける携帯装置への振動の影響を最小にするための方法に関する。該方法は、オーディオ・システムにおける筐体にトランスデューサを装着する段階を含む。該方法は、また、トランスデューサから音響エネルギを生成するために、トランスデューサに周波数範囲を有するオーディオ信号を伝送する段階をも含む。音響エネルギの部分が筐体内に振動を創成する。該方法は、また、振動の部分がクレードル組立体に結合されるように、アイソレータを介して筐体にクレードル組立体を装着する段階をも含む。アイソレータは、携帯装置がクレードル組立体に結合されるとき、周波数範囲の部分内での携帯装置の動作が遮断されないように、該結合された振動の振幅を減少する。
【００１７】
携帯装置の動作は、オーディオの再生、メモリからのデータへのアクセス、ディスク・ドライブからのデータへのアクセス、データのメモリへの記録、データのディスク・ドライブへの記録、バッテリの再充電、及び／または携帯装置の任意の他の機能を含むことができる。
【００１８】
当該方法は、さらに、筐体に受信器を装着する段階を含む。受信器は、携帯装置の作用を制御する信号を受信する。筐体は、また、音響ポート、音響導波管、パッシブラジエータ、音響絶縁体、及び／または音響減衰装置をも含むことができる。当該方法は、また、携帯装置を支持するようクレードル組立体内にインサートもしくは挿入物を形成する段階をも含むことができる。当該方法は、また、トランスデューサに増幅器を結合する段階をも含むことができる。増幅器は、オーディオ信号を増幅する。オーディオ信号は、また、プロセッサによって処理されることもできる。
【００１９】
本発明の上述の並びにさらなる利点は、添付図面と共に以下の説明を参照することにより一層良く理解され得る。なお、添付図面において、同様の数字は、同様の構造素子及び特徴を示す。図面は必ずしも縮尺通りではなく、代わりに、本発明の原理を説明するに際して強調が施されている。
【発明を実施するための最良の形態】
【００２０】
携帯オーディオ装置のような携帯電子装置は、代表的には、データを記憶するための内部記憶装置を含んでいる。記憶装置は、内部メモリ・チップ、取り外し可能のメモリ・カード、またはハード・ディスク・ドライブ（HDD）、を含んでいて良く、もしくは、例えば、ＣＤまたはＤＶＤドライブのような他の回転メディア記憶装置を含んでいて良い。ハード・ディスク・ドライブをベースにした携帯装置は、それらに大量のデータを記憶することができるので有利である。
【００２１】
しかしながら、ハード・ディスク・ドライブは、他の記憶装置に比べて衝撃及び振動に対して一層敏感であり得る。比較的小さい衝撃または振動でさえ、ハード・ドライブの読取りヘッドを、データを含む円盤もしくは録音板から非係合とさせることによって、ハード・ディスク・ドライブの動作を遮断し得る。充分に大きい衝撃は、読取りヘッドを円盤もしくは録音板に衝突させ得て、ドライブを損傷し得る。
【００２２】
このことは、ハード・ディスク・ドライブの動作における遮断の場合でさえ、ユーザに遮断されないオーディオ・データの流れを提供するために、携帯装置にメモリ・バッファを一体化するよう、何人かの製造者を導いてきた。幾つかのメモリ・バッファは、数分のオーディオ・データを記憶することができる。ハード・ディスク・ドライブは、オーディオ・データをメモリ・バッファにロードする。携帯装置が、ハード・ディスク・ドライブの動作を瞬時的に遮断する振動または衝撃に遭遇したとき、メモリ・バッファは、携帯装置に遮断されないオーディオ・データを供給し続ける。ハード・ディスク・ドライブは、振動または衝撃が止むと、オーディオ・データをメモリ・バッファに補充する。振動の再発の割合が大きすぎて、ハード・ディスク・ドライブが遮断された状態のままであるならば、メモリ・バッファは、バッファリングされたオーディオ・データをついには放出し、ユーザは、オーディオ・データの流れにおける遮断に遭遇するであろう。もう１つの一層一般的なシナリオにおいては、ハード・ディスク・ドライブは、メモリ・バッファが追加のオーディオ・データを要求するときに、遮断された状態にあり得る。ハード・ドライブが追加のオーディオ・データを提供することができないので、ユーザは、携帯装置からのオーディオ・データの流れにおける遮断に遭遇する。当業者なら、以下の説明が、一般的に、ハード・ディスク・ドライブをベースにした携帯装置だけでなく、回転するメディア・ドライブのような記憶装置を有する任意の携帯装置に適用可能であるということを理解するであろう。
【００２３】
図１は、本発明によるオーディオ・システム１００の分解斜視図である。オーディオ・システム１００は、筐体１０２、クレードル１０４、及びクレードル１０４のシャーシ１０６を含む。ドッキング・ステーション１００は、また、第１の及び第２の電気音響トランスデューサ（電気音響変換器）１０８及び１１０をも含む。一実施形態において、筐体１０２は、所望の周波数に同調されるポート１１１を有するポート化された(ported)筐体である。筐体１０２は、また、追加のポート、音響導波構造、パッシブラジエータ、音響絶縁体、音響減衰材料、及び／または、オーディオ・システム１００の音響性能を改善することができる任意の他の特徴をも含む。
【００２４】
増幅器１１２は、筐体１０２に装着される。増幅器１１２は、ヒートシンク１１３、または増幅器１１２から熱を消散するための他の冷却機構を含み得る。一実施形態において、増幅器１１２は、２チャンネル増幅器である。増幅器１１２は、また、１つの単チャンネル増幅器であっても良く、もしくは、複数の単チャンネル増幅器であっても良い。増幅器１１２は、トランスデューサ１０８、１１０に電気的に接続され、携帯装置１１６によって供給されるオーディオ信号を増幅するように適合されている。携帯装置１１６は、例えば、ＭＰ３装置、ミニディスク装置、コンパクト・ディスク（ＣＤ）装置、個人情報機器（ＰＤＡ）、パームトップ・コンピュータ、携帯電話、ディジタル・カメラ、または携帯用小型無線呼出し機（ポケットベル）を含んでいて良い。
【００２５】
筐体１０２は、また、トランスデューサもしくは変換器１０８、１１０をカバーして保護するグリルまたはスクリーン（図示せず）をも含む。スクリーンは、織物、発泡体、プラスチック、または金属材料から製造され得る。スクリーンは、取り外し可能であって良く、または筐体１０２に永久的に装着されていても良い。
【００２６】
クレードル１０４は、携帯装置１１８のシャーシを受け入れるように形成された挿入物を含み得る。挿入物は、特定の携帯装置に依存して異なった形状及びサイズであって良い。クレードル１０４は、また、該クレードル１０４のシャーシ１０６に回路板１１７を介して機械的に結合されるコネクタ１１４をも含む。回路板１１７は、クレードル１０４のシャーシ１０６に、ねじまたは他の装着金具で装着される。一実施形態において、クレードル１０４、コネクタ１１４、及び回路板１１７は、シャーシ１０６を有するクレードル組立体１０５に一体化される。クレードル組立体１０５のシャーシ１０６は、オーディオ・システム１００の筐体１０２に、１つまたはそれ以上のアイソレータ１１８を介して機械的に結合される。アイソレータ１１８は、例えば、エラストマ部材、ばね、発泡部材、コルク部材、ダッシュポット、緩衝装置、油圧装置、クッション、グロメット、ブッシングを含んでいて良い。コネクタ１１４は、携帯装置１１６のコネクタ１１５とかみ合うように適合されている。一実施形態において、クレードル組立体１０５を形成し得るコネクタ１１４及びクレードル１０４は、コネクタ１１４及びクレードル１０４が、実質的に、筐体１０２から振動的に隔離されるように、オーディオ・システム１００の筐体１０２にアイソレータ１１８を介して機械的に結合される。
【００２７】
クレードル組立体１０５のシャーシ１０６は、また、オーディオ・システム１００がテーブルまたは棚のような表面に置かれたとき、コネクタ１１４を含むクレードル１０４を支持するように位置付けられた１つまたはそれ以上のフィートもしくは脚１２０をも含む。用いられるフィートもしくは脚１２０の数、種類及び位置は、構造内に存在する機械エネルギのスペクトル、構造の設計、構造内の素子の材料特性、等のようなシステムの属性によって決定される。
【００２８】
オーディオ・システム１００の筐体１０２は、また、オーディオ・システムが表面に置かれたときにオーディオ・システム１００を支持するように位置付けられた複数のフィートもしくは脚１２４をも含む。フィートもしくは脚１２４は、例えば、筐体１０２の下側に対称的に位置付けられ得る。サイズ及び重量のようなオーディオ・システム１００のパラメータは、オーディオ・システム１００を支持するフィートもしくは脚１２４の数及び位置を決定するために用いられる。
【００２９】
オーディオ・システム１００は、また、ディジタル信号プロセッサ（ＤＳＰ）のようなオーディオ信号プロセッサ１２６をも含み得る。オーディオ信号プロセッサ１２６は、携帯装置１１６によって発生されたオーディオ信号に信号処理を行うことができる。例えば、オーディオ信号プロセッサ１２６は、音声等化、ディジタル・クロスオーバ、バスもしくは低温、高温、音量、サラウンド・サウンド、Dolby pro-logicTM,AC-3 and MPEGデコーディング、もしくは他の信号処理機能を含み得る、任意の既知の音声処理アルゴリズム(sound processing algorithms)を実行することができる。ＤＳＰ１２６の他の機能は、図４を参照してここで一層詳細に説明される。装着ブラケット１２８は、ＤＳＰ１２６を４つのねじ１３０でクレードル１０４の下側に固着する。幾つかの実施形態においては、装着ブラケット１２８は、ＤＳＰ１２６を、にかわ、プレスばめ、または任意の他の装着系で固着することができる。ＤＳＰは、概して、ＰＣＢ上に装着される。ＰＣＢは、コネクタを含むのと同じＰＣＢであって良く、または、システムがいかに構成されるかに依存して異なったＰＣＢであっても良い。
【００３０】
図２は、図１のオーディオ・システムにおける機械振動の伝送路のブロック図を示す。オーディオ・システム１００における携帯装置１１６に影響を与え得る振動は、３つの別個の経路に分離され得る。一実施形態において、本発明による方法は、振動の大きい成分が携帯装置１１６に伝送される前に、該振動の大きい成分を隔離することができる。もう１つの態様において、実質的に隔離されない何らかの振動は、それらが携帯装置１１６の動作に影響を与える前に減衰されることができる。従って、振動の経路は、振動が携帯装置１１６の動作に影響を与え得る前に、アイソレータもしくは緩衝装置によって遮断及び／または減衰される。当業者は、振動経路におけるアイソレータもしくは緩衝装置の数及び位置が、特定のオーディオ・システムの要件に依存して変わり得るということを理解するであろう。
【００３１】
第１の振動経路１５２は、音波の形態でトランスデューサもしくは変換器１０８、１１０の音響出力によって生成される。第１の経路１５２は、代表的には、携帯装置１１６の動作に小さい影響を与える。従って、携帯装置１１６は、概して、トランスデューサ１０８、１１０の音響出力から隔離されない。当業者は、携帯装置１１６の動作へのトランスデューサ１０８、１１０の音響出力からの影響を最小にするために、種々の技術が用いられ得ることを理解するであろうし、例えば、聴取場所に放射されるよりも比較的少ない音響エネルギが携帯装置に向けて放射されるように、トランスデューサ１０８、１１０の音響放射パターンを変更する、等である。
【００３２】
第２の振動経路１５４は、筐体１０２におけるトランスデューサ１０８、１１０の機械的運動によって生成される。第２の振動経路１５４は、携帯装置１１６の動作に大きい影響を与え得、それを一層詳細に説明する。筐体１０２は、また、内部の音響振動経路１５６からの筐体１０２内から生成される振動にも遭遇し得る。内部の音響振動経路１５６は、筐体１０２内のトランスデューサ１０８、１１０の音響出力によって創成される。筐体内で生成される圧力振動は、筐体の壁に力を及ぼし、それは次に、筐体の構造に振動を誘起する。
【００３３】
筐体１０２は、フィートもしくは脚１２４によって表面１５８に機械的に結合される。フィートもしくは脚１２４は、筐体１０２から発する振動が表面１５８に伝送される前に該振動を減衰するよう設計されている。フィートもしくは脚１２４は、また、表面１５８から発する振動が筐体１０２に伝送される前に、該振動を減衰し得る。
【００３４】
一実施形態において、第２の振動経路１５４は、アイソレータ１１８の１つまたはそれ以上によって遮断される。アイソレータ１１８は、筐体１０２と、クレードル１０４のシャーシ１０６との間に位置付けられる。アイソレータ１１８は、筐体１０２の振動がクレードル１０４のシャーシ１０６に結合するのを阻止するように設計されている。アイソレータ１１８は、筐体１０２からシャーシ１０６を隔離し、振動が携帯装置１１６の動作に影響を与え得る前に、該振動を減衰する。
【００３５】
シャーシ１０６は、また、フィートもしくは脚１２０をも含む。フィート１２０は、フィート１２４を介して筐体１０２からのような、もしくは表面１５８に結合された外部源１６０からのような、表面１５８から発し得る振動を減衰するように設計されている。
【００３６】
コネクタ１１４は、例えば、はんだ接続を介して回路板１１７に固定して装着される。回路板１１７は、ねじのような装着金具を用いてシャーシ１０６に固定して装着される。一実施形態において、回路板１１７は、アイソレータ（図示せず）を介してシャーシ１０６に装着され得、筐体１０２から発する及び表面１５８から発する振動からコネクタ１１４をさらに隔離する。携帯装置１１６は、コネクタ１１４に機械的かつ電気的に結合される。一実施形態において、コネクタ１１４は、アイソレータを介して回路板１１７から機械的に隔離される。
【００３７】
携帯装置１１６は、また、クレードル１０４に機械的に結合される。クレードル１０４は、携帯装置１１６がコネクタ１１４上に着座されたとき、該携帯装置１１６に物理的支持を提供する。クレードル１０４は、携帯装置１１６がクレードル１０４に着座されたときに圧縮する圧縮可能なエラストマを含み得る。圧縮可能なエラストマは、クレードル内の振動が携帯装置１１６のケースに伝播する前に該振動を隔離及び／または減衰することができる。一実施形態において、クレードル１０４、回路板１１７、及びコネクタ１１４（すなわち、クレードル組立体）は、シャーシ１０６と一体化される。クレードル１０４は、また、１つまたはそれ以上のアイソレータを用いて、シャーシ１０６から機械的に隔離され得る。
【００３８】
図３は、図１のオーディオ・システム１００の概略図を示す。オーディオ・システム１００は、筐体１０２及びクレードル１０４を含む。クレードル１０４のシャーシ１０６は、アイソレータ１１８を介して筐体１０２に機械的に結合される。他の実施形態において、クレードル１０４のシャーシ１０６は、堅固な、抵抗性の、弾性的な、もしくは従順な結合を介して筐体１０２に結合され得る。筐体１０２は、電気音響トランスデューサ（電気音響変換器）１０８、１１０を含むような形状である。電気音響トランスデューサもしくは変換器１０８、１１０は、筐体１０２に概して固定して装着される。一実施形態において、筐体１０２は、ポート化された(ported)筐体である。ポート化された筐体は、所望の共振周波数に同調され得る。筐体１０２は、任意の数の音響ポート、パッシブラジエータ、音響導波構造、音響絶縁体、及び音響減衰材料を含み得る。
【００３９】
一実施形態において、トランスデューサ１０８、１１０は、ねじまたは他の装着金具を用いて、筐体１０２の開口内に装着される。ガスケットもしくは他の封止装置が、トランスデューサ１０８、１１０の各々のバスケットもしくはフレームと、収容対１０２のその対応の開口との間に置かれ得る。
【００４０】
クレードル１０４は、携帯装置１１６につながるような形状であるコネクタ１１４を含む。クレードル１０４及びコネクタ１１４は、一緒に、クレードル組立体を形成し得る。コネクタ１１４のピンアウト(pin-outs)を含む技術的な説明は、図４を参照して一層詳細に説明される。コネクタ１１４は、クレードル１０４のシャーシ１０６に機械的に接続される。一実施形態において、コネクタ１１４は、回路板１１７のような中間構造に結合され、それは次に、シャーシ１０６に結合される。また、コネクタ１１４は、クレードル１０４に直接機械的に結合され得る。クレードル１０４は、概して、コネクタ１１４を取り巻く。コネクタ１１４は、クレードル１０４と一体化されるか、もしくはクレードル１０４内に成型（モールド化）され得、そしてクレードル組立体は、アイソレータ１１８を介して筐体１０２に結合され得る。
【００４１】
クレードル１０４及びコネクタ１１４は、オーディオ・システムと共に種々の携帯装置が用いられるのを許容するよう、他のクレードル及びコネクタと交換することができる。回路板１１７も、また、異なったインターフェース回路または異なったコネクタを有する回路板と交換することができる。例えば、ハード・ディスク・ドライブをベースにしたオーディオ・プレーヤは、異なったインターフェース・コネクタを有することができ、携帯電話または個人情報機器とは異なったクレードルを必要とし得る。これらの場合において、異なったクレードル１０４及び／または異なったコネクタ１１４及びおそらくインターフェース電子機器が、装置の種類及びブランドに応じて用いられることができる。クレードル１０４の形状及びサイズは、種々の携帯装置１１６に適合するよう、一般的に可変であり得る。一実施形態（図示せず）において、クレードル１０４は、種々の携帯装置に適合するようその形状及びサイズを変えるよう設計されている。
【００４２】
ドッキング・ステーション１００は、コネクタ１１４及びクレードル１０４を筐体１０２から振動的に隔離するアイソレータ１１８を含む。「振動的に隔離する」という言葉は、筐体１０２から発する振動または発振の大部分が、クレードル１０４及びコネクタ１１４そして最終的には携帯装置１１６に伝播する前に、アイソレータ１１８によって実質的に遮断されるもしくはフィルタリングされるということを意味する。アイソレータ１１８は、機械エネルギの（発生源から装置への）伝送経路に本質的に機械的フィルタを置く。アイソレータ１１８は、ばねであって良く、または、ばねと質量との組み合わせであっても良い。機械的に抵抗性のフィルタ素子が組み込まれても良い（すなわち、減衰素子）。フィルタ素子は、別々の素子であっても良く、または、減衰が、ばねのような素子に組み込まれても良い。エラストマ部材が組み込まれても良く、そして機械的ばね及び機械的抵抗性の組み合わせとして成型（モールド化）されても良い。
【００４３】
「減衰する」という言葉は、機械的エネルギが減衰されるということを意味する。減衰は、エネルギ（この場合機械的な）の消失を意味する。一般的に、消失は、熱の形態にある。伝送される振動の減衰は、減衰またはフィルタリングの故に生じ得る。フィルタリングは、構造の機械的インピーダンスを本質的に変化させる。従って、発生源と構造の部分との間に位置付けられた機械的フィルタは、発生源から、機械的フィルタによって発生源から分離されている構造の部分へ、機械的エネルギが運ばれるのを実質的に阻止することができる。
【００４４】
機械フィルタ（機械的低域フィルタのトポロジを仮定する）のコーナ周波数は、実際と同じ位に周波数的に低いように代表的には選択され、それにより、振動エネルギが存在するよう予想される周波数範囲よりも低い。もし、所望ならば、一層高次のフィルタも用いることができる。しかしながら、それらは、一般に一層高価であり、そして、カットオフ周波数の回りの一層高次のシステムの動作が、制御するには代表的には一層困難である。
【００４５】
アイソレータ１１８は、ばね、エラストマ部材、発泡部材、コルク部材、ダッシュポット、緩衝装置、油圧装置、クッション、グロメット、ブッシング、もしくは振動または発振を適切に隔離して減衰する任意の装置であって良い。アイソレータ１１８は、図３には、ダンパ（減衰装置もしくは制振装置）１７２及びばね１７４を並列形態で組み合わせたものとして示されている。アイソレータ１１８は、また、ダンパ及びばねを直列形態で組み合わせたもの（図示せず）としても説明することができる。アイソレータ１１８は、図３に示された実施形態においては、筐体１０２とシャーシ１０６との間に位置付けられている。しかしながら、当業者は、アイソレータ１１８が、本発明から逸脱することなく、他の場所に位置付けられ得るということを理解するであろう。例えば、１つまたはそれ以上のアイソレータ１１８が、回路板１１７とシャーシ１０６との間に位置付けられ得る。
【００４６】
幾つかの実施形態において、アイソレータ１１８は、ゴム、エラストマまたはシリコン材料から製造されるグロメットである。アイソレータ１１８は、回路板（基板）温度範囲に渡って良好な減衰特性及び安定な材料特性を呈するウレタン化合物から製造され得る。例えば、アイソレータ１１８は、Ａｅａｒｏ  Ｃｏｍｐａｎｙの部門  Ｅ−Ａ−Ｒ  ｓｐｅｃｉａｌｔｙ  ｃｏｍｐｏｓｉｔｅｓ  からのＶｅｒｓａＤａｍｐＴＭ  という名称の製品から製造され得る。携帯装置１１６の質量及びサイズ、並びに、携帯装置１１６をコネクタ１１４に接続することから遭遇されるシア（せん断）及び圧縮負荷は、用いられるアイソレータ１１８の数、位置、及び種類に影響を与える。
【００４７】
オーディオ・システム１００の筐体１０２は、また、表面１５８上に置かれたときに、オーディオ・システム１００を支持するよう位置付けられる１つまたはそれ以上のフィートもしくは脚１２４をも含み得る。例えば、表面１５８は、テーブルまたは棚の上面であり得る。フィートもしくは脚１２４は、ゴム、エラストマまたはシリコン材料から製造され得る。一実施形態において、フィートもしくは脚１２４は、３ＭＴＭＣｏｍｐａｎｙから入手可能なゴム化合物から製造される。フィートもしくは脚１２４は、オーディオ・システム１００の筐体１０２に機械的に結合され、筐体１０２から表面１５８に伝播する振動を隔離するように位置付けられる。フィートもしくは脚１２４は、また、筐体１０２から表面１５８へのどんな振動をも減衰することができる。一実施形態において、フィートもしくは脚１２４は、アイソレータ１１８と本質的に類似している。それらも、機械的フィルタとして説明することができる。フィートもしくは脚１２４は、アイソレータ１１８の機能と類似した態様で機能することができる。
【００４８】
コネクタ１１４に機械的に結合されているクレードル１０４のシャーシ１０６も、オーディオ・システム１００が表面１５８上に置かれるときに、クレードル１０４を支持するように適合された１つまたはそれ以上のフィートもしくは脚１２０を含み得る。フィートもしくは脚１２０は、シャーシ１０６を筐体１０２に結合するアイソレータ１１８が実質的に所望の圧縮状態のままであるように、クレードル１０４、コネクタ１１４及び携帯装置１１６の組み合わせを支持するように設計されている。一実施形態（図示せず）において、クレードル１０４のシャーシ１０６は、フィートもしくは脚１２０を含まず、アイソレータ１１８は、クレードル１０４、コネクタ１１４及び携帯装置１１６の組み合わせを支持する。フィートもしくは脚１２０は、ゴム、エラストマまたはシリコン材料から製造され得る。一実施形態において、フィートもしくは脚１２０は、３ＭＴＭＣｏｍｐａｎｙ  から入手可能なゴム化合物から製造される。
【００４９】
フィートもしくは脚１２０は、筐体１０２から発して表面１５８を介して移行する振動を、クレードル１０４のシャーシ１０６にそして最終的に携帯装置１０６に伝播する前に、減衰することができる。フィートもしくは脚１２０は、筐体１０２から表面１５８に、もしくは表面１５８からクレードル１０４を介して携帯装置１１６に伝播し得る機械エネルギをフィルタリングする機械フィルタ（代表的には低域フィルタ）を形成する。この実施形態において、フィートもしくは脚１２４及び１２０は、筐体１０２から表面１５８を介してシャーシ１０４に伝播し得る振動エネルギを隔離もしくは減衰するよう、結合して動作することができる。一実施形態において、フィートもしくは脚１２０は、また、表面１５８に接触している外部発生源１６０（図２）から発する振動を実質的に減衰することもできる。
【００５０】
ドッキング・ステーション１００は、以下のように動作する。携帯装置１１６は、クレードル１０４内に置かれてコネクタ１１４上に着座される。携帯装置１１６は付勢されて、オーディオ・トラックが選択される。リモート・コントロール・ユニット（図示せず）は、オーディオ・トラックを選択するよう及び／または音量を制御するよう用いられ得る。リモート・コントロール・ユニットは、例えば、音声等化（もしくは均等化）及びステレオ・バランスを含む種々の機能を制御し得る。コネクタ１１４は、選択されたオーディオ・トラックに対応するオーディオ・データを受ける。オーディオ・データは、ドッキング・ステーション１００内のプロセッサ（図示せず）におって処理される。例えば、プロセッサは、オーディオ・データを増幅する増幅器、及び／または音声等化のような音声処理を行うオーディオ信号プロセッサを含み得る。オーディオ信号プロセッサは、例えば、アナログ・ディジタル変換を行うディジタル信号プロセッサ（ＤＳＰ）であって良い。オーディオ・データは、筐体１０２に装着されたトランスデューサもしくは変換器１０８、１１０を駆動する。
【００５１】
トランスデューサもしくは変換器１０８、１１０は、それらトランスデューサの回りの空気を振動させて乱すことにより音声を生成し、それにより、音響エネルギを創成する。トランスデューサ１０８、１１０が音声を生成しているときの該トランスデューサ１０８、１１０の動作は、空気浮揚(airborne)エネルギ及び機械エネルギを創成する。音響及び機械エネルギの結合は、筐体１０２内に振動を誘起し得る。振動の振幅及び周波数は、トランスデューサ１０８、１１０を駆動するオーディオ信号に依存し、並びにオーディオ・システム１００の構造的設計、及びオーディオ・システム１００を形成するよう用いられる材料の材料特性に依存する。異なった携帯装置は、異なった振動周波数に、多かれ少なかれ感度を有する。
【００５２】
コネクタ１１４をクレードル１０４のシャーシ１０６を介して筐体１０２に結合するアイソレータ１１８は、トランスデューサ１０８、１１０によって創成される筐体内の振動から、コネクタ１１４及びクレードル１０４を実質的に隔離し得る。携帯装置１１６に影響し得る主な振動経路は、２つあるということに留意すべきである。第１の経路は、コネクタ１１４を介して携帯装置１１６までである。第２の経路はクレードル１０４を介して携帯装置１１６までである。これら２つの経路を介して伝播する振動の幾つかは、筐体１０２からアイソレータ１１８にそしてシャーシ１０６に直接的に結合される。筐体１０２における他の振動は、表面１５８を介しそしてシャーシ１０６に伝播する。これらの振動は、筐体１０２に機械的に結合されるフィートもしくは脚１２４によって実質的に減衰される。フィートもしくは脚１２４によって完全には減衰されない何らかの振動は、表面１５８を介して伝播し得、そしてそれら振動がコネクタ１１４またはクレードル１０４に作用し得る前にフィートもしくは脚１２０によって減衰され得る。フィートもしくは脚１２０は、また、表面１５８と接触している発生源のような外部発生源から発する表面１５８における振動をも減衰する。
【００５３】
クレードル１０４内に置かれかつコネクタ１１４に接続されている携帯装置１１６は、機械エネルギの伝播経路とは無関係に、振動から実質的に隔離される。例えば、ハード・ディスク・ドライブを含む携帯装置１１６は、外部振動に対して感度を有し得る。該振動は、ハード・ディスク・ドライブの動作を遮断し得る。該動作は、オーディオ・プレイバック、メモリからのデータへのアクセス、ディスク・ドライブからのデータへのアクセス、メモリへのデータの記録、ディスク・ドライブへのデータの記録、携帯装置内のバッテリの再充電、もしくは携帯装置１１６の任意の他の機能を含み得る。アイソレータ１１８を含むオーディオ・システム１００は、筐体１０２からもしくは外部発生源から発する振動を、該振動が携帯装置１１６の動作に影響を与え得る前に、隔離しかつ減衰することができる。
【００５４】
図４は、図１のオーディオ・システム１００における電気システムのブロック図２００を示す。オーディオ・システム１００は、携帯装置インターフェース２０２を含む。携帯装置インターフェース２０２は、図１のコネクタ１１４を含む。コネクタ１１４は、携帯装置１１６のコネクタ１１５（図１）とかみ合う。各々独特の携帯装置は、異なったコネクタ１１５を有し得る。オーディオ・システム１００のコネクタ１１４は、独特の携帯装置のコネクタとかみ合うように設計されたもう１つのコネクタと置き換えられ得る。コネクタ１１４は、複数のピン（図示せず）を含む。ピンの各々は、携帯装置１１６からオーディオ・システム１００に、及びその逆に、種々の信号を伝送するように用いられる。コネクタ１１４におけるピンの数及び配列は、オーディオ・システム１００と共に用いられる携帯装置１１６の種類に依存して変わる。
【００５５】
携帯装置インターフェース２０２の出力は、バス２０６を介して任意選択的なインターフェース・モジュール２０４の入力に結合される。バス２０６は、双方向バスであって良い。一実施形態においては、任意選択的なインターフェース・モジュール２０４は含まれないで、携帯装置インターフェース２０２が、バス２０６を介してプロセッサ２０８に直接結合される。携帯装置１１６は、バス２０６を介して伝送される出力信号を生成する。例えば、出力信号は、左右のチャンネルのオーディオ信号、シリアル・プロトコル信号、電力及び接地信号、及び制御信号を含み得る。携帯装置１１６は、制御及び／またはデータ信号の任意の数を伝送することができる。一実施形態においては、データ信号は、アナログ信号である。
【００５６】
プロセッサ２０８は、バス２０６を介して携帯装置１１６に指令を伝送することができる。指令は、バランス、音量、等価、オーディオ・トラック選択、高速先送り、巻戻し、ポーズもしくは停止、再生、オーディオ・トラックのスキップ、オーディオ・トラックの再編成、再生リストのカスタマイズ、ランダムなオーディオ・トラックの再生、及び／または携帯装置１１６が認識し得る任意の指令を含み得る。プロセッサ２０８は、また、電力を提供するために、及び／または携帯装置１１６のバッテリを再充電するために、携帯装置１１６に電力及び接地信号を伝送することもできる。
【００５７】
任意選択的なインターフェース・モジュール２０４は、種々の携帯装置からのインターフェース信号を受け付けてドッキング・ステーション１００におけるプロセッサ２０８と適合するように該信号を変更するハードウェア／ソフトウェア・インターフェースであって良い。インターフェース・モジュール２０４は、双方向性であって良い。例えば、インターフェース・モジュール２０４は、プロセッサ２０８と適合するように指令を変更することができ、そしてプロセッサ２０８からの出力指令を受信して、携帯装置１１６と適合するように該出力指令を変更することができる。さらに、インターフェース機能は、システム・プロセッサ２０８に含まれることができ、従って、分離モジュールに対する必要性を回避する。
【００５８】
信号の変更は、例えば、該信号をアナログからディジタル信号へ変換すること、もしくは個々の信号を再経路付けすることを含み得る。任意選択的なインターフェース・モジュール２０４は、携帯装置の任意の種類とプロセッサ２０８との間のインターフェースを創成することができ、それにより、プロセッサ２０８は、特定の携帯装置からの入力信号及び指令を受信して理解する。インターフェース・モジュール２０４は、プロセッサ、スイッチ、ランダム・アクセス・メモリ（ＲＡＭ）、リード・オンリ・メモリ（ＲＯＭ）、及び／または任意の他の必要とされる要素を含むことができる。
【００５９】
リモート・コントロール送信器２１０は、通信リンク２１４を介してリモート・コントロール受信器２１２に結合される。リモート・コントロール送信器２１０は、無線周波数（ＲＦ）送信器、赤外線（ＩＲ）送信器、またはハードワイヤード（配線）送信器であって良い。通信リンク２１４は、ドッキング・ステーション１００の要件に依存して、ワイヤレスまたはワイヤード（有線）通信リンクであって良い。リモート・コントロール送信器２１０は、リモート・コントロール送信器２１０上の制御スイッチが携帯装置１１６上の同様の制御スイッチに対応するように、携帯装置１１６の機能をマッピングすることができる。例えば、携帯装置１１６上の制御ボタンが“スキップ・フォワード”機能に対応する場合には、リモート・コントロール送信器２１０は、“スキップ・フォワード”制御ボタンをマッピングするようプログラミングされ得る。
【００６０】
リモート・コントロール受信器２１２は、通信リンク２１６を介してプロセッサ２０８に結合される。リモート・コントロール送信器２１０から通信リンク２１４を介してリモート・コントロール受信器２１２に指令が送信される。プロセッサ２０８は、リモート・コントロール受信器２１２から通信リンク２１６を介して該指令を受信する。該指令は、音量を調整すること、均等化、トラック選択、もしくは、携帯装置１１６及び／またはオーディオ・システム１００の機能を制御することができる任意の他の指令を含むことができる。
【００６１】
任意選択的なインターフェース・モジュール２０２を含まない実施形態においては、プロセッサ２０８は、携帯装置１１６によって理解されるように該指令を変更もしくは処理する。処理された指令は、次に、バス２０６を介して携帯装置インターフェース２０２に伝送される。携帯装置１１６は、携帯装置インターフェース２０２におけるコネクタ１１４に接続される。プロセッサ２０８からの指令を受信すると、携帯装置１１６は該指令を実行して、プロセッサ２０８に信号を送信する。例えば、もし、プロセッサからの指令が新しいオーディオ・トラックを選択することに関するならば、携帯装置１１６は、プロセッサ２０８に送信されるオーディオ・トラックを変更する。
【００６２】
プロセッサ２０８は、均等化を変更するか、もしくはオーディオ信号に関する他の信号処理を行うことによって、携帯装置１１６から受信されたオーディオ信号を変更することができる。例えば、プロセッサ２０８は、オーディオ信号にダイナミック・レンジ圧縮を適用することができる。プロセッサ２０８は、また、接続された携帯装置１１６に応答して、オーディオ・システム１００を付勢することや、携帯装置１１６がコネクタ１１４に接続されるということを感知することのような他の機能をも行うことができる。プロセッサ２０８は、また、使用されていないときにエネルギを保存するよう、オーディオ・システム１００をハイバネーション・モードもしくは冬眠モードに置くこともできる。
【００６３】
一実施形態において、プロセッサ２０８は、オーディオ信号における１つまたはそれ以上の周波数の利得を変更する利得セル(a gain cell)を含むことができる。例えば、プロセッサ２０８は、オーディオ信号におけるどの所定の周波数が、接続された携帯装置１１６に最大の有害な影響を与える筐体１０２における振動に寄与するかを決定することができる。一実施形態において、携帯装置に影響を与える振動に寄与する既知の周波数は、予めきめられて、ルックアップ・テーブルに記憶されており、そしてプロセッサ２０８は、これらの既知の周波数に応答して利得セルを調整する。例えば、プロセッサ２０８は、オーディオ信号の或る周波数の利得を減少することができ、それにより、それらの周波数に対するトランスデューサ１０８、１１０からの最大出力を減少する。
【００６４】
一実施形態において、プロセッサ２０８は、オーディオ信号の或る周波数の出力を最小にするようノッチ・フィルタを含み得る。信号処理の他の形態も、携帯装置１１６に対して有害な振動に寄与する或る周波数の利得を減少するために用いられ得る。機械的振動の影響を減少するための他の利得セル及びノッチ・フィルタのアプローチは、本件出願の譲受人に譲渡された機械的共振の減少という名称の米国特許第６,０６７,３６２号に一層詳細に説明されている。米国特許第６,０６７,３６２号の全開示内容は、参照によりここに組み込まれる。上で参照した特許で用いられているノッチ・フィルタのアプローチもしくは方法は、上述した実施形態とは異なっている。上で参照した特許で用いられているノッチ・フィルタは、周波数依存のリミッタを形成するように用いられる。すなわち、該ノッチ・フィルタは、適用され得る各周波数における最大の許容可能なレベルを決定する。しかしながら、どの周波数成分もこのレベル以上でない限り、信号経路に存在するフィルタリングはないであろう。ノッチ・フィルタによって行われるフィルタリングは、信号レベルに依存する。
【００６５】
プロセッサ２０８は、オーディオ信号を通信リンク２２０を介して増幅器２１８に伝送する。増幅器２１８は、オーディオ信号を増幅する。一実施形態において、プロセッサ２０８は、オーディオ信号の利得を徐々に増加することができ、それにより、ユーザは、オーディオ信号が所望の増幅レベルに達する前にオーディオ信号に慣らされるようになることができる。例えば、このランピングもしくは傾斜上昇動作は、オーディオ・データを再生している携帯装置１１６がオーディオ・システム１００に接続されているときに、生じ得る。プロセッサ２０８は、携帯装置１１６がオーディオ・システムに接続されてしまったことを決定し、そして増幅器２１８の利得をゆっくりと上昇させる。プロセッサ２０８は、異なった増分で増幅器２１８の利得を調整することができる。オーディオ信号を増幅し得るどんな増幅器も用いられ得る。例えば、増幅器２１８は、ｃｌａｓｓ−Ａ，Ａ／Ｂ，Ｃ，Ｄ，Ｇ，またはＨ増幅器もしくは任意の他の既知の増幅器であって良い。もう１つの実施形態においては、プロセッサ２０８は、信号に増倍を行うことによって、ディジタル・オーディオ信号の利得を直接変更する。
【００６６】
プロセッサ２０８は、また、携帯装置１１６の均等化を調整することもできる。例えば、携帯装置１１６が、オーディオ・システム１００に接続されているとき、プロセッサ２０８は、携帯装置１１６に指令を発行して、その信号処理パラメータ（例えば、トーン制御と関連したパラメータ、均等化セッティングもしくは設定値、ダイナミック均等化、または他の信号処理機能）を、公称設定値（セッティング）のような所定の設定値（セッティング）にリセットすることができる。このことは、携帯装置１１６が、オーディオ信号に相当の不所望の均等化（または他の処理）を加えることを阻止することができる。他の実施形態においては、プロセッサ２０８は、携帯装置１１６がオーディオ・システム１００に接続されるとき、該携帯装置１１６に所定のパラメータ設定値（セッティング）を適用することができる。
【００６７】
増幅器２１８の出力は、通信リンク２２４を介して、ドッキング・ステーション１００におけるスピーカ・システム２２２に結合される。スピーカ・システム２２２は、図１のトランスデューサ（変換器）１０８、１１０を含み得る。スピーカ・システム２２２は、パッシブラジエータ、ウーファ（低音拡声器）、ツイータ（高音拡声器）、圧電、静電、ホーン型、または平面磁気スピーカを含め、任意の数または種類のトランスデューサ（変換器）を含み得る。
【００６８】
増幅器２１８の出力は、任意選択的なサブウーファ２２６に結合され得る。サブウーファ２２６は、電力付勢されるサブウーファであって良い。増幅器２１８のもう１つの出力は、任意選択的なヘッドフォーン２２８に結合され得る。オーディオ・システム１００（図１）は、ステレオ・システム、オーディオ／ビデオ・プレーヤ、ヘッドフォーン、スピーカ・システム、パーソナル・コンピュータ、携帯電話、個人情報機器（ＰＤＡ）、テレビジョン、及び／またはセット・トップ・ボックスのような種々の外部の装置にリンクするために増幅器２１８またはプロセッサ２０８に結合される任意の数の入／出力ポートを含み得る。
【００６９】
コントロール・パネル２３０は、ドッキング・ステーション１００に装着され得る。コントロール・パネル２３０は、通信リンク２３２を介してプロセッサ２０８に電気的に結合される。コントロール・パネル２３０は、コントロール・ノブ、キーパッド、タッチパッド、スイッチ、液晶ディスプレイ、タッチスクリーン、またはオーディオ・システム１００及び携帯装置１１６の機能を制御することができる任意他の装置を含み得る。コントロール・パネル２３０及びリモート・コントローラ２１０は、同じまたは異なったコントロールを含むことができ、または幾つかの共通のコントロール機能を含むことができる。
【００７０】
メモリ２３４も、通信リンク２３６を介してプロセッサ２０８に電気的に結合され得る。メモリ２３４は、ＲＡＭ、ＲＯＭ、ディスク・ドライブ、フラッシュ・メモリ、ＥＰＲＯＭ、または任意の他の適切な型のメモリであって良い。メモリ２３４は、オーディオ・システム１００及び／または携帯装置１１６のパラメータまたはセッティングを格納することができる。一実施形態において、メモリ２３４は、オーディオ・データをバッファリングすることができる。メモリ２３４は、また、オーディオ・システム１００を介して再生され得る全オーディオ・トラックを格納するためにも用いられ得る。格納されたオーディオ・トラックは、また、携帯装置１１６に転送され、及び／またはセーブされることもできる。
【００７１】
ＡＭ、ＦＭ、または衛星チューナ、もしくは携帯ＣＤプレーヤのような外部のチューナ／ＣＤプレーヤ２３８は、通信リンク２４０を介してプロセッサ２０８に電気的に結合され得る。外部のチューナ／ＣＤプレーヤ２３８は、オーディオ・システム１００を介してオーディオ信号を再生するように用いられ得る。ミニディスク・プレーヤ、カセット・プレーヤ、またはディジタル・オーディオ・テープ（ＤＡＴ）プレーヤのような他の装置も用いられ得る。一実施形態（図示せず）では、ラジオ・チューナ及び／またはＣＤプレーヤは、オーディオ・システム１００に直接一体化される。
【００７２】
一実施形態においては、オーディオ・システム１００は、マルチメディア能力を含み得る。この実施形態においては、ビデオ・ディスプレイ２４２が、通信リンク２４４を介してプロセッサ２０８に結合される。ビデオ・ディスプレイ２４２は、液晶ディスプレイ（ＬＣＤ）、発光ダイオード（ＬＥＤ）ディスプレイ、プラズマ・ディスプレイ、陰極線管（ＣＲＴ）ディスプレイ、もしくは任意の他のディスプレイ装置であって良い。携帯装置１１６は、例えば、ディジタル・カメラ、ビデオ・カメラ、ディジタル画像能力を有する携帯電話、携帯ビデオ・プレーヤ、もしくは携帯ＤＶＤプレーヤであって良い。携帯装置１１６は、プロセッサ２０８に、オーディオ信号及び／またはビデオ信号を送信することができる。プロセッサ２０８はオーディオ信号を処理し、増幅器２１８は、該処理されたオーディオ信号を増幅する。プロセッサ２０８は、また、ビデオ・データを処理し、ビデオ・ディスプレイ２４２にビデオ信号を送信することもできる。ビデオ・データの処理は、カラー・バランス制御、輝度制御、コントラスト制御、アスペクト比制御、フォーマット変換、もしくは、任意の他のビデオ制御パラメータを含み得る。ビデオ能力を有するオーディオ・システム１００は、周囲音声能力を含み得る。周囲音声能力は、オーディオ・システム１００の内部及び／または外部にある１つまたはそれ以上のトランスデューサ（変換器）を用いることによって達成され得る。
【００７３】
図５は、代表的なスピーカの筐体内に装着されたトランスデューサ（変換器）１０８、１１０に与えられる信号の周波数の関数としてドッキング・ステーションに接続される携帯装置１１６の動作における遮断のグラフ３００を示す。携帯装置１１６は、アイソレータ１１８のない代表的なスピーカの筐体に機械的に結合される（すなわち、クレードル／シャーシ組立体が筐体に堅固に接続される）。従って、携帯装置１１６は、スピーカの筐体から振動的に隔離されない。この例において、携帯装置１１６は、ハード・ディスク・ドライブを含む。ハード・ディスク・ドライブの動作は、特定の周波数及び振幅を有する振動によって遮断され得る。グラフ３００は、ドッキング・ステーションに接続されるハード・ディスク・ドライブをベースにした携帯装置１１６によって与えられるオーディオ出力の遮断を生じることなくトランスデューサ１０８、１１０に与えられ得る周波数の関数として信号の最大レベルを示す。
【００７４】
約１００Ｈｚよりも少ない周波数において、最大に得られる信号が、携帯装置によって与えられる信号の遮断を生じることなくトランスデューサ１０８、１１０に与えられ得る。約１００Ｈｚの周波数において、与えられた信号の最大振幅３１２は、ディスク・ドライブの動作が、トランスデューサ１０８、１１０によって発生される振動によって遮断される前に最大値の約５０パーセントである。
【００７５】
約１００Ｈｚ及び３００Ｈｚ間の周波数において、与えられた信号の最大振幅３１４は、ディスク・ドライブの動作が、トランスデューサ１０８、１１０によって発生される振動によって遮断される前に約５０パーセントより少ない値に達する。約３００Ｈｚの周波数において、最大に得られる信号が、携帯装置１１６によって与えられる信号の遮断を生じることなくトランスデューサ１０８、１１０に与えられ得る。約３００Ｈｚ及び６５０Ｈｚ間の周波数において、与えられた信号の最大振幅３１８は、ディスク・ドライブの動作が、トランスデューサ１０８、１１０によって発生される振動によって遮断される前に約５０パーセントより少ない値に達する。図５は、ディスク・ドライブの動作が、システムによって与えられ得た最大の信号レベルよりも相当に低い与えられた信号レベルに対して、広い周波数範囲に渡って、トランスデューサ１０８、１１０によって発生される振動によって相当に遮断されるということを示す。
【００７６】
図６は、本発明のオーディオ・システム１００内に装着されたトランスデューサ（変換器）１０８、１１０に与えられる信号の周波数の関数としてオーディオ・システム１００（図１）に接続される携帯装置１１６の動作における遮断のグラフ３２０を示す。携帯装置１１６は、アイソレータ１１８を介して筐体１０２に機械的に結合される（すなわち、クレードル１０４のシャーシ１０６が筐体１０２から隔離される）コネクタ１１４及びクレードル１０４に接続される。従って、携帯装置１１６は、筐体１０２から振動的に隔離される。この例において、携帯装置１１６は、ハード・ディスク・ドライブを含む。
【００７７】
約１００Ｈｚよりも少ない周波数から約８００Ｈｚまでの周波数において、最大に得られる信号が、携帯装置１１６によって与えられる信号の遮断を生じることなくトランスデューサ１０８、１１０に与えられ得る。約８００Ｈｚ及び１２５０Ｈｚ間の周波数において、与えられた信号の振幅３２２は、ディスク・ドライブの動作が遮断される前に約５０パーセント以下に達する。これらの周波数において、携帯装置１１６の音響励起は、ディスク・ドライブの動作における遮断に対して責任があり、トランスデューサ１０８、１１０から発する機械振動ではない。約１２５０Ｈｚより上の周波数において、最大に得られる信号は、携帯装置１１６によって与えられる信号の遮断を生じることなくトランスデューサ１０８、１１０に与えられ得る。
【００７８】
図６は、図５に示される携帯装置１１６における遮断の発生に比較して、携帯装置１１６における遮断の発生において相当の改善を示す。これは、クレードル組立体１０５（図１）がアイソレータ１１８を介して携帯装置１１６を筐体１０２に機械的に結合するからである。アイソレータ１１８は、結合された振動の振幅を減少し、それにより、携帯装置１１６がクレードル組立体１０５に結合されるとき、信号の周波数範囲の部分内の携帯装置の動作が遮断されない。一実施形態において、周波数範囲の部分は、例えば、約１０Ｈｚ及び８００Ｈｚ間、もしくは、約１２００Ｈｚ及び２０ｋＨｚ間であって良い。周波数範囲の部分は、異なった携帯装置に対して異なっていて良く、特定の携帯装置の振動感度に依存する。
【００７９】
図５のグラフ３００及び図６のグラフ３２０は、類似の出力特性及び同じ最大出力レベル能力を有する装置を用いて発生されることに留意されるべきである。従って、各装置ごとの周波数の関数としての相対出力レベルは同じである。
【００８０】
図７は、本発明のもう１つの実施形態によるオーディオ・システム４００における振動の伝送経路３５０のブロック図を示す。オーディオ・システム４００の一実施形態は、図８に示される。オーディオ・システム４００における携帯装置１１６に影響を与え得る振動は、図２を参照して説明した３つの個別の経路に分離され得る。
【００８１】
第１の振動経路１５２は、音波の形態でトランスデューサ１０８、１１０の音響出力によって生成される。携帯装置１１６は、概して、トランスデューサ１０８、１１０の音響出力から隔離されない。第２の振動経路１５４は、筐体１０２におけるトランスデューサ１０８、１１０の機械的運動によって生成される。筐体１０２は、また、筐体１０２内のトランスデューサ１０８、１１０の音響出力によって創成される内部の音響振動経路１５６からの、筐体１０２内部から生成される振動にも遭遇される。筐体１０２内の圧力は、筐体の壁に力を与え、該壁に機械的振動を誘起する。
【００８２】
筐体１０２は、フィートもしくは脚１２４によって表面１５８に機械的に結合される。フィートもしくは脚１２４は、筐体１０２から発する振動が表面１５８に伝送される前に、それら振動を減衰するように設計されている。フィートもしくは脚１２４は、また、表面１５８から発する振動が筐体１０２に伝送される前に、それら振動を減衰することもできる。
【００８３】
図７によって説明される実施形態において、クレードル１０４のシャーシ１０６は、筐体１０２に堅固に装着される。第２の振動経路１５４は、１つまたはそれ以上のアイソレータ４０２によって遮断されるアイソレータ４０２は、シャーシ１０６と、クレードル１０４及び回路板１１７／コネクタ１１４の組み合わせとの間に位置付けられる。アイソレータ４０２は、ＰＣＢ１１７に直接つながることもでき、クレードル１０４に直接つながることもでき、もしくは、その双方に直接つながることもできることに留意されるべきである。それは、代表的には、クレードル１０４に直接つながる。この実施形態において、回路板１１７は、クレードル１０４に堅固に装着される。アイソレータ４０２は、筐体１０２から発する振動がクレードル１０４に結合することを阻止するよう設計されている。アイソレータ４０２は、クレードル１０４と回路板１１７／コネクタ１１４とを、シャーシ１０６と筐体１０２とから隔離し、振動が携帯装置１１６の動作に影響を与え得る前に該振動を減衰する。
【００８４】
携帯装置１１６は、コネクタ１１４に機械的かつ電気的に結合される。携帯装置１１６は、また、クレードル１０４にも機械的に結合される。クレードル１０４は、携帯装置１１６に、それがコネクタ１１４上に着座されたとき、物理的支持を提供する。
【００８５】
図８は、本発明のもう１つの実施形態によるオーディオ・システム４００の概略図を示す。オーディオ・システム４００は、筐体１０２及びクレードル１０４を含む。クレードル１０４のシャーシ１０６は、堅固な部材（剛体部材もしくは剛性部材）４０４、４０６を介してオーディオ・システム４００の筐体１０２に機械的に結合される。筐体１０２は、トランスデューサ１０８、１１０を含むように形作られる。トランスデューサ１０８、１１０は、概して、筐体１０２に堅固に装着される。
【００８６】
一実施形態において、トランスデューサ１０８、１１０は、ねじまたは他の装着金具を用いて、筐体１０２の開口内に装着される。ガスケットまたは他の封止装置が、トランスデューサ１０８、１１０の各々のバスケットまたはフレームと、筐体１０２におけるその対応の開口との間に置かれ得る。
【００８７】
クレードル１０４は、回路板１１７を含む。回路板１１７は、携帯装置１１６のコネクタ１１５につながるように形作られたコネクタ１１４を含む。コネクタ１１４は、クレードル１０４に機械的に結合された回路板１１７に機械的に結合される。クレードル１０４は、アイソレータ４０２の１つまたはそれ以上を介してシャーシ１０６に装着される。クレードル１０４は、概して、コネクタ１１４を取り巻く。クレードル１０４及びコネクタ１１４は、種々の携帯装置がオーディオ・システム４００と共に用いられるのを許容するよう、他のクレードル及びコネクタと交換され得る。
【００８８】
アイソレータ４０２は、クレードル１０４及びコネクタ１１４をシャーシ１０６及び筐体１０２から隔離する。アイソレータ４０２は、ばね、エラストマ部材、発泡部材、コルク部材、ダッシュポット、緩衝装置、油圧装置、クッション、グロメット、ブッシング、または任意の適切な機械フィルタ素子であって良い。
【００８９】
一実施形態において、アイソレータ４０２は、ゴム、エラストマ、もしくはシリコン材料から製造されるグロメットである。アイソレータ４０２は、広範な温度範囲に渡って安定な材料特性及び良好な減衰特性を呈するウレタン化合物から製造され得る。携帯装置１１６の質量及びサイズ、並びに携帯装置１１６をコネクタ１１４に接続することから遭遇されるせん断及び圧縮荷重は、用いられるアイソレータ４０２の数、位置、及び種類を決定する。筐体１０２からの振動は、シャーシ１０６に直接結合され得る。従って、クレードル１０４とシャーシ１０６との間のアイソレータ４０２は、筐体１０２から発する振動を、それら振動がクレードル１０４及びコネクタ１１４に伝播する前に、減衰することができるべきである。
【００９０】
オーディオ・システム４００の筐体１０２は、また、表面１５８上に置かれたときに、オーディオ・システム４００を支持するよう位置付けられたフィートもしくは脚１２４をも含み得る。フィートもしくは脚１２４は、ゴム、エラストマ、もしくはシリコン材料から製造され得る。フィートもしくは脚１２４は、表面１５８に伝播し得る筐体１０２から発する振動を実質的にフィルタリングもしくは減衰する。
【００９１】
図９は、本発明のもう１つの実施形態によるオーディオ・システム４５０における振動の伝送経路４２０のブロック図を示す。オーディオ・システム４５０の１つの実施形態は、図１０に示されている。オーディオ・システム４２０における携帯装置１１６に影響を与え得る筐体１０２からの振動は、実質的に分離され得る。
【００９２】
筐体１０２は、フィートもしくは脚１２４によって表面１５８に機械的に結合される。フィートもしくは脚１２４は、筐体１０２から発する振動を、それら振動が表面１５８に伝送される前に減衰するよう設計されている。フィートもしくは脚１２４は、また、表面１５８から発する振動を、それら振動が筐体１０２に伝送される前に減衰することもできる。シャーシ１０６は、フィートもしくは脚４６４によって表面１５８に機械的に結合される。フィートもしくは脚４６４は、筐体１０２から発して表面１５８を介して伝播する振動を、それら振動がクレードル１０４のシャーシ１０６に伝送される前に、減衰するよう設計されている。
【００９３】
示された実施形態において、クレードル１０４のシャーシ１０６は、デカップラもしくは減結合器４５２によって筐体１０２から分離される。従って、第２の振動経路１５４は、デカップラ４５２によって遮断される。デカップラ４５２は、筐体１０２から発する振動が、クレードル１０４のシャーシ１０６に結合するのを阻止するように設計される。デカップラ４５２は、ここで一層詳細に説明する整列機構を含み得る。
【００９４】
図１０は、本発明のもう１つの実施形態によるオーディオ・システム４５０の概略図を示す。オーディオ・システム４５０は、筐体１０２及びクレードル１０４を含む。クレードル１０４のシャーシ１０６は、デカップラ４５２により筐体１０２から物理的に分離される。シャーシ１０６から筐体１０２への唯一の機械的接続は、１つまたはそれ以上の係留綱もしくはつなぎ綱４５４を介してである。係留綱もしくはつなぎ綱４５４は、クレードル１０４がオーディオ・システム４５０から完全に外れるのを阻止するために、クレードル１０４のシャーシ１０６を筐体１０２に実質的につなぎ留める。係留綱もしくはつなぎ綱４５４は、また、クレードル１０４が、筐体１０２に対して横方向に移動するのを実質的に阻止することができる。幾つかの実施形態においては、係留綱もしくはつなぎ綱４５４は、エラストマ、紙、プラスチック、金属、ゴム、布または織物、もしくは他の任意の適切な材料から製造される。例えば、係留綱もしくはつなぎ綱４５４は、ゴムバンド、Ｏ−リング、糸、布製バンド、ばね、またはワイヤであって良い。
【００９５】
筐体１０２は、１つまたはそれ以上のトランスデューサもしくは変換器１０８、１１０を含めるように形作られる。一実施形態において、トランスデューサもしくは変換器１０８、１１０は、ねじもしくは他の装着金具を用いて筐体１０２における開口内に装着される。
【００９６】
コネクタ１１４は、クレードル１０４のシャーシ１０６に堅固に装着される回路板１１７に機械的に結合される。クレードル１０４は、概して、コネクタ１１４を取巻く。コネクタ１１４は、クレードル１０４と一体化され得るか、もしくはクレードル１０４内にモールド化もしくは成型される。クレードル１０４の形状及びサイズは、種々の携帯装置１１６を収容するよう概して可変である。
【００９７】
デカップラ４５２は、オーディオ・システム４５０が表面１５８上に置かれたときに、クレードル１０４のシャーシ１０６を筐体１０２から物理的に分離するように位置付けられる。デカップラ４５２は、オーディオ・システム４５０が移動されるときに、クレードル１０４のシャーシ１０６を筐体１０２に整列させる整列機構４５６を含み得る。整列機構４５６は、整列機能４５８を有する上部分を含む。整列機構４５６は、また、上部分における整列機能４５８とかみ合うかみ合い機能４６２を有する底部分をも含む。上部分における整列機能４５８は、オーディオ・システム４５０が表面１５８から取り除かれるとき、底部分におけるかみ合い機能４６２と係合する。
【００９８】
オーディオ・システム４５０の筐体１０２は、また、表面１５８上に置かれるときに、オーディオ・システム４５０を支持するように位置付けられた１つまたはそれ以上のフィートもしくは脚１２４をも含み得る。デカップラ４５２を介して筐体１０２から物理的に分離されるシャーシ１０６も、また、オーディオ・システム４５０が表面１５８上に置かれるときに、シャーシ１０６を支持するよう位置付けられた１つまたはそれ以上のフィートもしくは脚４６４を含み得る。一実施形態において、クレードル１０４の下のフィートもしくは脚４６４の高さ４６６は、筐体１０２の下のフィートもしくは脚１２４の高さ４６８よりも大きい。この実施形態において、クレードル１０４のシャーシ１０６は、オーディオ・システム４５０が表面１５８上に位置付けられるときに、筐体１０２から実質的に物理的に分離される。係留綱もしくはつなぎ綱４５４は、実質的に弛緩された状態にあり、従って、筐体１０２から発する振動をシャーシ１０６に伝播しない。
【００９９】
フィートもしくは脚４６４は、筐体１０２から発して表面１５８を介して移行するどんな振動も、シャーシ１０６にそして結局はコネクタ１１４に伝播し得る前に、実質的に減衰することができる。フィートもしくは脚４６４は、先に説明したように振動がコネクタ１１４に達し得る前に、振動の伝播を遮断することにより振動を実質的に減衰する。一実施形態において、フィートもしくは脚４６４は、また、表面１５８に接触している外部源（図示せず）から発する振動をも実質的に減衰し得る。
【０１００】
等価
特定の好適な実施形態を参照して本発明を特に示しかつ説明してきたけれども、ここに限定された本発明の精神並びに範囲から逸脱することなく、形態及び詳細における種々の変更が本発明に行われ得るということを当業者には理解されるべきである。
【図面の簡単な説明】
【０１０１】
【図１】本発明によるオーディオ・システムを示す分解斜視図である。
【図２】図１のオーディオ・システムにおける振動の伝送経路を示すブロック図である。
【図３】図１のオーディオ・システムを示す概略図である。
【図４】図１のオーディオ・システムにおける電気システムを示すブロック図である。
【図５】代表的なスピーカの筐体内に装着されたトランスデューサに与えられる信号の周波数の関数としてドッキング・ステーションに接続された携帯装置の動作における遮断を示すグラフである。
【図６】本発明のオーディオ・システム内に装着されたトランスデューサに与えられる信号の周波数の関数としてオーディオ・システムに接続された携帯装置の動作における遮断を示すグラフである。
【図７】本発明のもう１つの実施形態によるオーディオ・システムにおける振動の伝送経路を示すブロック図である。
【図８】本発明のもう１つの実施形態によるオーディオ・システムを示す概略図である。
【図９】本発明のもう１つの実施形態によるオーディオ・システムにおける振動の伝送経路を示すブロック図である。
【図１０】本発明のもう１つの実施形態によるオーディオ・システムを示す概略図である。
【符号の説明】
【０１０２】
１００      オーディオ・システム
１０２      筐体
１０４      クレードル
１０５      クレードル組立体
１０６      シャーシ
１０８      第１の電気音響トランスデューサ（電気音響変換器）
１１０      第２の電気音響トランスデューサ（電気音響変換器）
１１１      ポート
１１２      増幅器
１１３      ヒートシンク
１１４      コネクタ
１１６      携帯装置
１１７      回路板
１１８      アイソレータ
【図１】
2006074787.tif 000003
【図２】
2006074787.tif 000004
【図３】
2006074787.tif 000005
【図４】
2006074787.tif 000006
【図５】
2006074787.tif 000007
【図６】
2006074787.tif 000008
【図７】
2006074787.tif 000009
【図８】
2006074787.tif 000010
【図９】
2006074787.tif 000011
【図１０】
2006074787.tif 000012